(57)【要約】【課題】照明機器に対して無線通信を行う際の通信経路を増やし、必要に応じて適切な通信経路を選択できる照明機器等を提供する。【解決手段】照明機器１０ａ〜１０ｆの機器制御部１３は、メッシュネットワーク２０を構成する複数の照明機器１０ａ〜１０ｆ同士、および、照明機器１０ａ〜１０ｆと通信端末機５０とが情報を送信または受信する場合の通信規約であるメッシュプロファイルｍ１と、照明機器１０ａ〜１０ｆと通信端末機５０とが通信する場合の通信規約であって通信端末機に個別設定されるユーザプロファイルｕ１とを有する。メッシュプロファイルｍ１に対応するコマンドおよびユーザプロファイルｕ１に対応するコマンドには、照明機器の設定を初期設定状態にするリセットコマンドが含まれており、リセットコマンドは、照明機器の設定を初期設定状態にする際に、機器制御部１３に保存されているアドレスまたは暗号鍵を削除せず維持する。【選択図】図８
2019220476.tif 000002
【特許請求の範囲】
【請求項１】
照明機器の作動に関する情報を無線で送信または受信する機器通信部と、
メッシュネットワークを構成する複数の前記照明機器同士、および、前記照明機器と通信端末機とが互いに前記情報を送信または受信する場合の通信規約であるメッシュプロファイルと、前記照明機器と前記通信端末機とが互いに通信する場合の通信規約であって前記通信端末機に個別設定されるユーザプロファイルとを有し、自身とは異なる前記照明機器から受信した前記メッシュプロファイルに対応するコマンド、および、前記通信端末機から受信した前記ユーザプロファイルに対応するコマンドを実行する機器制御部と
を備え、
前記メッシュプロファイルに対応するコマンドおよび前記ユーザプロファイルに対応するコマンドには、前記照明機器の設定を初期設定状態にするリセットコマンドが含まれており、
前記リセットコマンドは、前記照明機器の設定を初期設定状態にする際に、前記機器制御部に保存されているアドレスまたは暗号鍵を削除せず維持する
照明機器。
【請求項２】
前記機器通信部が、自身とは異なる前記照明機器から前記メッシュプロファイルに対応するリセットコマンドを受信し、前記機器制御部が、前記メッシュプロファイルに対応する前記リセットコマンドを実行する
請求項１に記載の照明機器。
【請求項３】
メッシュネットワークを構成する複数の照明機器と、前記複数の照明機器のそれぞれと通信可能な通信端末機とを備える照明システムであって、
前記照明機器は、
前記照明機器の作動に関する情報を無線で送信または受信する機器通信部と、
前記メッシュネットワークを構成する複数の前記照明機器同士、および、前記照明機器と前記通信端末機とが互いに前記情報を送信または受信する場合の通信規約であるメッシュプロファイルと、前記照明機器と前記通信端末機とが互いに通信する場合の通信規約であって前記通信端末機に個別設定されるユーザプロファイルとを有し、自身とは異なる前記照明機器から受信した前記メッシュプロファイルに対応するコマンド、および、前記通信端末機から受信した前記ユーザプロファイルに対応するコマンドを実行する機器制御部と
を備え、
前記メッシュプロファイルに対応するコマンドおよび前記ユーザプロファイルに対応するコマンドには、前記照明機器の設定を初期設定状態にするリセットコマンドが含まれており、
前記リセットコマンドは、前記照明機器の設定を初期設定状態にする際に、前記機器制御部に保存されているアドレスまたは暗号鍵を削除せず維持する
照明システム。
【請求項４】
複数の前記照明機器は、無線通信距離内における所定ホップ数の照明機器間で構成される前記メッシュネットワークを構成している
請求項３に記載の照明システム。
【発明の詳細な説明】
【技術分野】
【０００１】
本発明は、メッシュネットワークを構成する照明機器および照明システムに関する。
【背景技術】
【０００２】
従来から、通信機能を有する複数の照明機器によりメッシュネットワークを構成する照明システムが知られている。メッシュネットワークは、機器同士で無線通信経路を構築しているネットワークのことをいう。
【０００３】
この種の照明システムの一つとして、特許文献１には、無線デバイスを有する複数の照明機器と、照明機器と通信する複数の無線端末と、照明機器を管理する管理サーバとを備える照明システムが開示されている。この照明システムでは、隣り合う照明機器が相互に通信可能になっており、複数の照明機器によりメッシュネットワークが形成されている。そして、この照明システムでは、無線端末を所持するユーザの位置情報をもとに、ユーザに対して照明機器の適切な調光を行っている。
【先行技術文献】
【特許文献】
【０００４】
【特許文献１】特開２０１４−６００７８号公報
【発明の概要】
【発明が解決しようとする課題】
【０００５】
特許文献１に開示されている照明システムでは、照明機器を調光するコマンドを管理サーバから各照明機器を介して、すなわちメッシュネットワークによる通信経路を用いて送信している。しかしながら、例えば、照明機器がなんらかの理由でメッシュネットワークに参加できなくなってしまった場合に、メッシュネットワーク自身では、不参加となった照明機器を再びメッシュネットワークに参加させることが難しいという問題がある。また、照明機器は、建物の天井に設置されていたり、使用により温度が高くなっていたりするので、ユーザが照明機器を直接触ってすぐに修理するということが困難である。
【０００６】
そこで、本発明は、照明機器に対して無線通信を行う際の通信経路を増やし、必要に応じて適切な通信経路を選択できる照明機器等を提供する。
【課題を解決するための手段】
【０００７】
本発明の照明機器の一態様は、照明機器の作動に関する情報を無線で送信または受信する機器通信部と、メッシュネットワークを構成する複数の前記照明機器同士、および、前記照明機器と通信端末機とが互いに前記情報を送信または受信する場合の通信規約であるメッシュプロファイルと、前記照明機器と前記通信端末機とが互いに通信する場合の通信規約であって前記通信端末機に個別設定されるユーザプロファイルとを有し、自身とは異なる前記照明機器から受信した前記メッシュプロファイルに対応するコマンド、および、前記通信端末機から受信した前記ユーザプロファイルに対応するコマンドを実行する機器制御部とを備え、前記メッシュプロファイルに対応するコマンドおよび前記ユーザプロファイルに対応するコマンドには、前記照明機器の設定を初期設定状態にするリセットコマンドが含まれており、前記リセットコマンドは、前記照明機器の設定を初期設定状態にする際に、前記機器制御部に保存されているアドレスまたは暗号鍵を削除せず維持する。
【０００８】
また、本発明の照明システムの一態様は、メッシュネットワークを構成する複数の照明機器と、前記複数の照明機器のそれぞれと通信可能な通信端末機とを備える照明システムであって、前記照明機器は、前記照明機器の作動に関する情報を無線で送信または受信する機器通信部と、前記メッシュネットワークを構成する複数の前記照明機器同士、および、前記照明機器と前記通信端末機とが互いに前記情報を送信または受信する場合の通信規約であるメッシュプロファイルと、前記照明機器と前記通信端末機とが互いに通信する場合の通信規約であって前記通信端末機に個別設定されるユーザプロファイルとを有し、自身とは異なる前記照明機器から受信した前記メッシュプロファイルに対応するコマンド、および、前記通信端末機から受信した前記ユーザプロファイルに対応するコマンドを実行する機器制御部とを備え、前記メッシュプロファイルに対応するコマンドおよび前記ユーザプロファイルに対応するコマンドには、前記照明機器の設定を初期設定状態にするリセットコマンドが含まれており、前記リセットコマンドは、前記照明機器の設定を初期設定状態にする際に、前記機器制御部に保存されているアドレスまたは暗号鍵を削除せず維持する。
【発明の効果】
【０００９】
照明機器に対して無線通信を行う際の通信経路を増やし、必要に応じて適切な通信経路を選択することができる。
【図面の簡単な説明】
【００１０】
【図１】実施の形態１に係る照明システムおよび照明機器を示す図であって、複数の照明機器により構成されるメッシュネットワークの一例を示す図である。
【図２】実施の形態１に係る照明機器の外観の一例を示す図である。
【図３】実施の形態１に係る照明機器の制御構成を示すブロック図である。
【図４】実施の形態１に係る照明機器と通信する通信端末機の制御構成を示すブロック図である。
【図５】実施の形態１における照明機器とメッシュネットワークとの関係を示す図であり、（ａ）は所定の照明機器がメッシュネットワークに不参加となった状態、（ｂ）はメッシュネットワークに不参加の照明機器と通信端末機とが通信している状態、（ｃ）はメッシュネットワークに不参加の照明機器がメッシュネットワークに再び参加した状態を示す図である。
【図６】メッシュネットワークに不参加の照明機器をメッシュネットワークに参加させる場合のフローチャートである。
【図７】実施の形態２に係る照明機器の制御構成を示すブロック図である。
【図８】実施の形態２における照明機器とメッシュネットワークとの関係を示す図であり、（ａ）は所定の照明機器がメッシュネットワークに参加している状態、（ｂ）は照明機器がメッシュネットワークの通信経路を用いてリセットされている状態、（ｃ）は初期設定状態に戻った照明機器とメッシュネットワークとの関係を示す図である。
【発明を実施するための形態】
【００１１】
以下、実施の形態に係る照明機器および照明システムについて、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１２】
なお、各図は、模式図であり、必ずしも厳密に図示されたものではない。また、各図において、実質的に同一の構成に対しては同一の符号を付しており、重複する説明は省略または簡略化する。
【００１３】
（実施の形態１）
図１は、実施の形態１に係る照明システム１００および照明機器１０ａ、１０ｂ、１０ｃ、１０ｄ、１０ｅ、１０ｆを示す図であって、複数の照明機器１０ａ〜１０ｆにより構成されるメッシュネットワーク２０の一例を示す図である。
【００１４】
照明システム１００は、通信機能を有する複数の照明機器１０ａ〜１０ｆにより構成されている。この照明システム１００では、複数の照明機器１０ａ〜１０ｆのうちの、互いに隣り合う照明機器（例えば照明機器１０ｃおよび１０ｆ）が通信することで無線通信経路を構築し、メッシュネットワークを構成している。また、照明機器１０ａ〜１０ｆは、タブレット端末などの通信端末機５０と通信接続できるようになっている。
【００１５】
図２は、照明機器１０ａ〜１０ｆの外観の一例を示す図である。図３は、照明機器１０ａ〜１０ｆの制御構成を示すブロック図である。
【００１６】
照明機器１０ａ〜１０ｆは、例えば、図２に示すようなシーリングライトであり、住宅等の建物の造営材（天井など）に設置される。照明機器１０ａ〜１０ｆは、機器本体１５と、機器本体１５を覆うグローブ１６とを備えている。グローブ１６は、透光性を有する樹脂材料により形成されている。機器本体１５は、図３に示すように、光源１１と、機器通信部１２と、機器制御部１３とを備えている。
【００１７】
光源１１は、例えば、白色光、赤色光、緑色光または青色光を発する複数の発光ダイオードを含んでいる。光源１１は、機器制御部１３により調光制御および／または調色制御される。
【００１８】
機器通信部１２は、アンテナおよび無線モジュールを有している。機器通信部１２は、自身とは異なる照明機器と、照明機器１０ａ〜１０ｆの作動に関する情報を無線で送信また受信する。例えば、照明機器１０ｃは、隣に位置する照明機器１０ａ、１０ｅ、１０ｆと通信可能となっている。また、照明機器１０ａ〜１０ｆの機器通信部１２は、通信端末機５０とも通信可能となっている。通信方式としては、例えば、ＩＥＥＥ８０２．１５．１で規格されているBluetooth（登録商標）のような２．４ＧＨｚ帯の周波数帯で通信する方式が用いられる。
【００１９】
機器制御部１３は、ＣＰＵ、ＲＡＭおよびプログラムを格納しているＲＯＭなどにより構成されている。本実施の形態では、機器制御部１３は、メッシュプロファイルｍ１と、ユーザプロファイルｕ１とを有している。メッシュプロファイルｍ１は、メッシュネットワーク２０を構成する複数の照明機器１０ａ〜１０ｆ同士、および、照明機器１０ａ〜１０ｆと通信端末機５０とが互いに信号を送信または受信する場合の通信規約である。ユーザプロファイルｕ１は、照明機器１０ａ〜１０ｆと通信端末機５０とが互いに通信する場合の通信規約であって、通信端末機５０により個別設定されるプロファイルである。
【００２０】
メッシュプロファイルｍ１には、通信規約として、照明機器１０ａ〜１０ｆごとに個別に割り当てられているアドレス、および、ネットワークの暗号鍵などの認証情報が含まれている。機器制御部１３では、アドレスや暗号鍵などの認証情報が、消去または書き換え可能になっている。
【００２１】
また、メッシュプロファイルｍ１には、光源１１の調光、調色、シーン、スケジュールなどの照明機器１０ａ〜１０ｆの作動を制御するコマンドが含まれている。それぞれの照明機器１０ａ〜１０ｆは、通信端末機５０を発信源とするコマンドであって、メッシュネットワーク２０の通信経路を介して送信されるメッシュプロファイルｍ１のコマンドに従って作動する。例えば、照明機器１０ａは、通信端末機５０から送信されたメッシュプロファイルｍ１に対応するコマンドを機器通信部１２にて受信し、機器制御部１３にて、受信したメッシュプロファイルｍ１に対応するコマンドを実行する。それと同時に、自身に送信されたメッシュプロファイルｍ１に対応するコマンドを、機器通信部１２にて隣に位置する照明機器１０ｂ、１０ｃに送信する。
【００２２】
なお、本実施の形態における照明機器１０ａ〜１０ｆは、メッシュネットワーク２０の通信経路を用いて情報を受信するだけでなく、通信端末機５０から送信されたユーザプロファイルｕ１に対応するコマンドを機器通信部１２にて受信し、機器制御部１３にて、受信したユーザプロファイルｕ１に対応するコマンドを実行するように構成されている。
【００２３】
例えば、ユーザプロファイルｕ１に対応するコマンドには、照明機器１０ａ〜１０ｆの設定をそれぞれ初期化して、照明機器１０ａ〜１０ｆのそれぞれをメッシュネットワーク２０に参加させ得る状態にするリセットコマンドが含まれている。
【００２４】
それに対し、メッシュプロファイルｍ１に対応するコマンドには、照明機器１０ａ〜１０ｆの設定を初期化して、照明機器１０ａ〜１０ｆをメッシュネットワーク２０に参加させ得る状態にするリセットコマンドが含まれていない。そのため、照明機器１０ａ〜１０ｆは、ユーザプロファイルｕ１を用いて通信端末機５０から直接的にリセットされ得るが、メッシュプロファイルｍ１を用いて間接的にリセットされることがない。これにより、照明機器１０ａ〜１０ｆが誤ってリセットされることが起きにくくなる。
【００２５】
図４は、照明機器１０ａ〜１０ｆと通信する通信端末機５０の制御構成を示すブロック図である。
【００２６】
通信端末機５０は、操作部５４と、表示部５１と、端末通信部５２と、端末制御部５３とを備えている。
【００２７】
操作部５４は、例えば、照明機器１０ａ〜１０ｆを作動させるコマンドを選択または入力するタッチパネルである。表示部５１は、例えば、照明機器１０ａ〜１０ｆの個々の作動状態を表示したり、メッシュネットワーク２０への参加有無を表示するための液晶モニターである。
【００２８】
端末通信部５２は、アンテナおよび無線モジュールを有している。端末通信部５２は、所定の距離内における照明機器１０ａ〜１０ｆと通信可能になっている。通信方式としては、例えば、Bluetooth（登録商標）が用いられ、例えば、メッシュネットワーク２０にて用いられる周波数とは異なる周波数で通信が行われる。
【００２９】
端末制御部５３は、ＣＰＵ、ＲＡＭおよびＲＯＭなどにより構成されている。端末制御部５３は、メッシュプロファイルｍ２とユーザプロファイルｕ２とを有している。メッシュプロファイルｍ２は、照明機器１０ａ〜１０ｆのメッシュプロファイルｍ１と機能が共通しており、ユーザプロファイルｕ２は、照明機器１０ａ〜１０ｆのユーザプロファイルｕ１と機能が共通している。
【００３０】
メッシュプロファイルｍ２には、通信規約として、照明機器１０ａ〜１０ｆごとに個別に割り当てられているアドレス、および、ネットワークの暗号鍵などの認証情報が含まれている。アドレスや暗号鍵などの認証情報は、操作部５４により入力することができる。メッシュプロファイルｍ２には、光源１１の調光、調色、シーン、スケジュールなどの照明機器１０ａ〜１０ｆの作動を制御するコマンドが含まれている。通信端末機５０は、それぞれの照明機器１０ａ〜１０ｆをメッシュプロファイルｍ２のコマンドに基づいて作動させることができる。
【００３１】
ユーザプロファイルｕ２に対応するコマンドには、照明機器１０ａ〜１０ｆの設定を初期化して、照明機器１０ａ〜１０ｆをメッシュネットワーク２０に参加させ得る状態にするリセットコマンドが含まれている。一方、メッシュプロファイルｍ２に対応するコマンドには、リセットコマンドが含まれていない。
【００３２】
次に、図５および図６を参照しながら、メッシュネットワーク２０から外れてしまった照明機器１０ｆをメッシュネットワーク２０に参加させる方法について説明する。
【００３３】
図５の（ａ）は、照明機器１０ｆがメッシュネットワーク２０に不参加となった状態、（ｂ）はメッシュネットワーク２０に不参加の照明機器１０ｆと通信端末機５０とが通信している状態、（ｃ）は照明機器１０ｆがメッシュネットワーク２０に再び参加した状態を示す図である。図６は、メッシュネットワーク２０に不参加の照明機器１０ｆをメッシュネットワーク２０に参加させる場合のフローチャートである。
【００３４】
図５の（ａ）に示すように、複数の照明機器１０ａ〜１０ｆのうちの照明機器１０ｆが、何らかの理由により、例えば暗号鍵が意図に反して書き換えられてしまい、メッシュネットワーク２０に不参加となりメッシュネットワーク２０を構成しない照明機器１０ｆとなってしまうことがある（図６のＳ１）。その場合、照明機器１０ｆをメッシュネットワーク２０に改めて参加させようと試みるが、照明機器１０ｆがメッシュネットワーク２０から既に外れているため、メッシュネットワーク２０自身では通信経路を回復することができない。
【００３５】
そこで、図５の（ｂ）に示すように、通信端末機５０による通信経路を用いて照明機器１０ｆをメッシュネットワーク２０に参加させる。まず、通信端末機５０から照明機器１０ｆに、ユーザプロファイルｕ１に対応するリセットコマンドを送信する。これにより、照明機器１０ｆは、リセットコマンドを受信する（図６のＳ２）。
【００３６】
リセットコマンドを受信した照明機器１０ｆは、自身の照明機器１０ｆの設定をネットワーク参加可能な状態にする（図６のＳ３）。具体的には、まず、照明機器１０ｆの現状の設定をリセット（初期化）する（図６のＳ３１）。このリセットにより、照明機器１０ｆの作動に関する情報や、照明機器１０ｆの機器制御部１３に保存されているアドレスおよび暗号鍵などの認証情報を一旦消去する。
【００３７】
次に、リセットされた照明機器１０ｆに対してアソシエーション設定（メッシュネットワーク２０への参加設定）を行う（図６のＳ３２）。具体的には、照明機器１０ｆの機器通信部１２が、アソシエーション設定が必要であることを外部に知らせるためのビーコンを発信する。なお、ビーコンを発信しているときは、照明機器１０ｆは全灯状態となる。
【００３８】
通信端末機５０は、発信されたビーコンから、照明機器１０ｆがアソシエーション設定を要求していることを表示するとともに、照明機器１０ｆのＵＤＩＤ（Unique  Device  IDentifier）を取得する。その後、通信端末機５０にて所定の操作が行われることで、通信端末機５０は、メッシュネットワーク２０に参加するための認証情報（アドレスおよび暗号鍵など）を、ユーザプロファイルｕ２に対応するコマンドを用いて照明機器１０ｆに送信する。この認証情報は、ＵＤＩＤに対応づけされている。
【００３９】
認証情報を受信した照明機器１０ｆでは、ユーザプロファイルｕ１に対応するコマンドが実行され、機器制御部１３にアドレスおよび暗号鍵などの認証情報が書き込まれる。これにより、照明機器１０ｆの設定が、メッシュネットワーク２０に元々参加していたときと同じ状態である初期設定状態に戻される。初期設定状態に戻された照明機器１０ｆは、ビーコンの発信を停止する。
【００４０】
そして、図５の（ｃ）に示すように、照明機器１０ｆと、隣り合う照明機器１０ｃとの間に通信経路２０ａが形成され、照明機器１０ｆがメッシュネットワーク２０に再び参加した状態となる（図６のＳ４）。メッシュネットワーク２０に参加した照明機器１０ｆは、メッシュプロファイルｍ１のコマンドを用いて作動し制御される。
【００４１】
以上、本実施の形態に係る照明機器１０ａ〜１０ｆは、照明機器１０ａ〜１０ｆの作動に関する情報を無線で送信または受信する機器通信部１２と、メッシュネットワーク２０を構成する複数の照明機器１０ａ〜１０ｆ同士、および、照明機器１０ａ〜１０ｆと通信端末機５０とが互いに情報を送信または受信する場合の通信規約であるメッシュプロファイルｍ１と、照明機器１０ａ〜１０ｆと通信端末機５０とが通信する場合の通信規約であって通信端末機５０に個別設定されるユーザプロファイルｕ１とを有する機器制御部１３とを備えている。機器制御部１３は、自身とは異なる照明機器から受信したメッシュプロファイルｍ１に対応するコマンド、および、通信端末機５０から受信したユーザプロファイルｕ１に対応するコマンドを実行するように構成されている。
【００４２】
これによれば、所定の照明機器（例えば照明機器１０ｆ）を作動させるにあたり、他の照明機器（例えば照明機器１０ａ〜１０ｅ）と共通するメッシュプロファイルｍ１を用いて作動させるか、通信端末機５０と共通するユーザプロファイルｕ１を用いて作動させるかを選択することができる。これにより、照明機器１０ａ〜１０ｆに対して無線通信を行う際に、必要に応じて適切な通信経路を選択することができる。また、照明機器１０ａ〜１０ｆが、建物の天井に設置されていたり、使用により温度が高くなっていたりしても、無線通信により、照明機器１０ａ〜１０ｆを初期設定状態に戻すことができる。
【００４３】
また、メッシュプロファイルｍ１に対応するコマンドには、照明機器１０ａ〜１０ｆの設定を初期化して照明機器１０ａ〜１０ｆをメッシュネットワーク２０に参加させ得る状態にするリセットコマンドが含まれておらず、ユーザプロファイルｕ１に対応するコマンドには、リセットコマンドが含まれていてもよい。
【００４４】
これによれば、所定の照明機器（例えば照明機器１０ｆ）をリセットする場合に、他の照明機器（例えば照明機器１０ａ〜１０ｅ）が、メッシュネットワーク２０の通信経路を用いてリセットされることがない。その結果、他の照明機器が誤ってリセットされることが起きにくくなる。
【００４５】
また、機器制御部１３は、照明機器１０ｆがメッシュネットワーク２０を構成しない照明機器１０ｆとなった場合に、ユーザプロファイルｕ１に対応するコマンドを用いて、メッシュネットワーク２０を構成しない照明機器１０ｆをメッシュネットワーク２０に参加させるようにしてもよい。
【００４６】
これによれば、ユーザプロファイルｕ２を有する通信端末機５０を用いて、メッシュネットワーク２０から外れた照明機器（例えば照明機器１０ｆ）を直接的に初期設定状態に戻し、メッシュネットワーク２０に再び参加させることができる。
【００４７】
また、本実施の形態に係る照明システム１００は、複数の照明機器１０ａ〜１０ｆを備えている。
【００４８】
これによれば、照明システム１００の所定の照明機器（例えば照明機器１０ｆ）を作動させるにあたり、他の照明機器（例えば照明機器１０ａ〜１０ｅ）と共通するメッシュプロファイルｍ１を用いて作動させるか、通信端末機５０と共通するユーザプロファイルｕ１を用いて作動させるかを選択することができる。これにより、照明システム１００の照明機器１０ａ〜１０ｆにて無線通信を行う際に、必要に応じて適切な通信経路を選択することができる。
【００４９】
（実施の形態２）
実施の形態２に係る照明機器３０ａ、３０ｂ、３０ｃ、３０ｄ、３０ｅ、３０ｆは、通信端末機５０により直接的にコマンドを与えられのでなく、メッシュネットワーク２０の通信経路を用いて、自身とは異なる照明機器からコマンドを与えられる。
【００５０】
実施の形態２に係る照明システム１００Ａは、通信機能を有する複数の照明機器３０ａ〜３０ｆにより構成されている（図８の（ａ）参照）。この照明システム１００Ａでは、複数の照明機器３０ａ〜３０ｆのうちの、互いに隣り合う照明機器（例えば照明機器３０ｂおよび３０ｄ）が通信することで無線通信経路を構築し、メッシュネットワークを構成する。また、照明機器３０ａ〜３０ｆは、タブレット端末などの通信端末機５０と通信接続できるようになっている。
【００５１】
図７は、照明機器３０ａ〜３０ｆの制御構成を示すブロック図である。
【００５２】
照明機器３０ａ〜３０ｆは、光源１１と、機器通信部１２と、機器制御部１３とを備えている。
【００５３】
機器制御部１３は、メッシュプロファイルｍ１ａと、ユーザプロファイルｕ１とを有している。メッシュプロファイルｍ１ａは、メッシュネットワーク２０を構成する複数の照明機器３０ａ〜３０ｆと通信端末機５０とが互いに信号を送信または受信する場合の通信規約である。ユーザプロファイルｕ１は、照明機器３０ａ〜３０ｆと通信端末機５０とが互いに通信する場合の通信規約であって、通信端末機５０により個別設定されるプロファイルである。
【００５４】
メッシュプロファイルｍ１ａには、通信規約として、照明機器３０ａ〜３０ｆごとに個別に割り当てられているアドレス、および、ネットワークの暗号鍵などの認証情報が含まれている。
【００５５】
また、メッシュプロファイルｍ１ａには、光源１１の調光、調色、シーン、スケジュールなどの照明機器３０ａ〜３０ｆの作動を制御するコマンドが含まれている。それぞれの照明機器３０ａ〜３０ｆは、通信端末機５０を発信源とするコマンドであって、メッシュネットワーク２０の通信経路を介して送信されるメッシュプロファイルｍ１ａのコマンドに従って作動する。
【００５６】
本実施の形態における照明機器３０ａ〜３０ｆは、メッシュプロファイルｍ１ａに対応するコマンド、および、ユーザプロファイルｕ１に対応するコマンドのそれぞれに、照明機器３０ａ〜３０ｆの設定を初期設定状態にするリセットコマンドが含まれている。なお、初期設定状態とは、メッシュネットワーク２０に元々参加していたときと同じ設定状態のことをいう。
【００５７】
通信端末機５０は、操作部５４と、表示部５１と、端末通信部５２と、端末制御部５３とを備えている。
【００５８】
端末制御部５３は、メッシュプロファイルｍ２とユーザプロファイルｕ２とを有している。メッシュプロファイルｍ２は、照明機器３０ａ〜３０ｆのメッシュプロファイルｍ１ａと機能が共通しており、ユーザプロファイルｕ２は、照明機器３０ａ〜３０ｆのユーザプロファイルｕ１と機能が共通している。すなわち、メッシュプロファイルｍ２およびユーザプロファイルｕ２に対応するコマンドには、照明機器３０ａ〜３０ｆの設定を初期設定状態にするリセットコマンドが含まれている。
【００５９】
本実施の形態における照明機器３０ａ〜３０ｆは、メッシュネットワーク２０の通信経路を用いて情報を受信するだけでなく、通信端末機５０から送信されたユーザプロファイルｕ１に対応するコマンドを機器通信部１２にて受信し、機器制御部１３にて、受信したユーザプロファイルｕ１に対応するコマンドを実行するように構成されている。
【００６０】
ただし、本実施の形態では、ユーザプロファイルｕ１に対応するコマンドだけでなく、メッシュプロファイルｍ１ａに対応するコマンドにも、照明機器３０ａ〜３０ｆの設定を初期設定状態にするリセットコマンドが含まれている。そのため、例えば、近くにある照明機器３０ａにリセットコマンドを送信し、メッシュプロファイルｍ１ａのリセットコマンドを用いて、離れた位置にある照明機器３０ｆを初期設定状態にすることができる。
【００６１】
次に、図８を参照しながら、メッシュネットワーク２０に参加している照明機器３０ｆをリセットする方法について説明する。
【００６２】
図８の（ａ）は所定の照明機器３０ｆがメッシュネットワーク２０に参加している状態、（ｂ）は照明機器３０ｆがメッシュネットワーク２０の通信経路を用いてリセットされている状態、（ｃ）は初期設定状態に戻った照明機器３０ｆとメッシュネットワーク２０との関係を示す図である。
【００６３】
図８の（ａ）に示すように、複数の照明機器３０ａ〜３０ｆのうちの照明機器３０ｆが、何らかの理由により、使用者が意図しない動作となることがある。使用者が意図しない動作とは、例えば、照明機器３０ａの光の強さや色が他の照明機器３０ａ〜３０ｅと異なるような場合をいう。照明機器３０ｆが通信端末機５０の近くにある場合は、通信端末機５０を使って直接的にリセットをかけ元に戻すこともできるが、遠く離れている場合は、その位置まで通信端末機５０を移動させなければならず労力と時間を要する。
【００６４】
そこで、図８の（ｂ）に示すように、メッシュネットワーク２０による通信経路を用いて照明機器３０ｆを初期設定状態に設定しなおす。まず、通信端末機５０から、メッシュプロファイルｍ１ａのリセットコマンドを照明機器３０ａに送信する。このリセットコマンドは、メッシュネットワーク２０を構成する照明機器３０ａ、照明機器３０ｃを介して、照明機器３０ｆに転送される。すなわち、照明機器３０ｆは、自身とは異なる照明機器３０ａおよび３０ｃを介してメッシュプロファイルｍ１ａのリセットコマンドを受信する。
【００６５】
リセットコマンドを受信した照明機器３０ｆは、自身の照明機器３０ｆの設定を初期設定状態にする。具体的には、照明機器の現状の設定（調光、調色など）を初期設定状態にする。なお、照明機器３０ｆの機器制御部１３におけるアドレスや暗号鍵は消去されず保存されたままとなる。
【００６６】
これにより、初期設定状態に戻された照明機器３０ｆは、図８の（ｃ）に示すように、メッシュプロファイルｍ１ａのコマンドを用いて、再び、他の照明機器３０ａ〜３０ｅと同様に作動制御される。
【００６７】
なお、照明機器３０ｆをリセットするにあたり、機器制御部１３に保存されているアドレスや暗号鍵を消去してもよい。アドレスや暗号鍵を消去した場合であっても、公開鍵を取り交わすことでアソシエーションを行い、その後、アドレスや暗号鍵を付与することで初期設定状態に戻すことができる。また、実施の形態１の図６に示すＳ３２と同様に、照明機器３０ｆに対して通信端末機５０のユーザプロファイルｕ２を用いてアソシエーション設定することも可能である。
【００６８】
以上、本実施の形態に係る照明機器３０ａ〜３０ｆは、照明機器３０ａ〜３０ｆの作動に関する情報を無線で送信または受信する機器通信部１２と、メッシュネットワーク２０を構成する複数の照明機器３０ａ〜３０ｆ同士、および、照明機器３０ａ〜３０ｆと通信端末機５０とが互いに情報を送信または受信する場合の通信規約であるメッシュプロファイルｍ１ａと、照明機器３０ａ〜３０ｆと通信端末機５０とが互いに通信する場合の通信規約であって通信端末機５０に個別設定されるユーザプロファイルｕ１とを有する機器制御部１３とを備えている。機器制御部１３は、自身とは異なる照明機器から受信したメッシュプロファイルｍ１ａに対応するコマンド、および、通信端末機５０から受信したユーザプロファイルｕ１に対応するコマンドを実行するように構成されている。
【００６９】
これによれば、所定の照明機器（例えば照明機器３０ｆ）を作動させるにあたり、他の照明機器（例えば照明機器３０ａ〜３０ｅ）と共通するメッシュプロファイルｍ１ａを用いて作動させるか、通信端末機５０と共通するユーザプロファイルｕ１を用いて作動させるかを選択することができる。これにより、照明機器３０ａ〜３０ｆに対して無線通信を行う際に、必要に応じて適切な通信経路を選択することができる。また、照明機器３０ａ〜３０ｆが、建物の天井に設置されていたり、使用により温度が高くなっていたりしても、無線通信により、照明機器３０ａ〜３０ｆを初期設定状態に戻すことができる。
【００７０】
また、メッシュプロファイルｍ１ａに対応するコマンドおよびユーザプロファイルｕ１に対応するコマンドには、照明機器３０ａ〜３０ｆの設定を初期設定状態にするリセットコマンドが含まれていてもよい。
【００７１】
これによれば、ユーザプロファイルｕ１に対応するコマンドだけでなく、メッシュプロファイルｍ１ａに対応するコマンドを使って所定の照明機器（例えば照明機器３０ｆ）をリセットできるので、照明機器３０ａ〜３０ｆをリセットする場合の選択肢を増やすことができる。
【００７２】
また、機器通信部１２が、自身とは異なる照明機器からメッシュプロファイルｍ１ａに対応するリセットコマンドを受信し、機器制御部１３が、メッシュプロファイルｍ１ａに対応するリセットコマンドを実行してもよい。
【００７３】
これによれば、例えば、照明機器３０ａにリセットコマンドを送信し、メッシュプロファイルｍ１ａに対応したリセットコマンドを用いて、離れた位置にある照明機器３０ｆを初期設定状態に戻すことができる。
【００７４】
なお、図８では、照明機器３０ｆを初期設定状態に戻す例について説明したが、本実施の形態は、それに限られない。例えば、メッシュネットワーク２０に参加している照明機器３０ａが、他の照明機器３０ｂ〜３０ｆと調光や調色が合わなくなったときに、一旦、照明機器３０ａを初期設定状態に戻すような場合にも用いることができる。
【００７５】
以上、照明機器１０ａ〜１０ｆ、３０ａ〜３０ｆおよび照明システム１００、１００Ａについて、実施の形態に基づいて説明したが、本発明は、上記の実施の形態に限定されるものではない。例えば、上記の実施の形態に対して当業者が思いつく各種変形を施して得られる形態や、本発明の趣旨を逸脱しない範囲で実施の形態における構成要素および機能を任意に組み合わせることで実現される形態も本発明に含まれる。
【００７６】
例えば、実施の形態１では、通信端末機５０のコマンドにより照明機器１０ａ〜１０ｆを作動させているが、それに限られず、照明システム１００の中に照明機器１０ａ〜１０ｆを管理する管理サーバを設け、管理サーバのメッシュプロファイルに対応するコマンドにより照明機器１０ａ〜１０ｆを作動させてもよい。
【００７７】
また、実施の形態１では、端末制御部５３のメッシュプロファイルｍ２にリセットコマンドを含ませていないが、それに限られず、リセットコマンドが含まれていてもよい。実施の形態１では、照明機器１０ａ〜１０ｆにてメッシュプロファイルｍ１に対応するリセットコマンドが実行されないので、端末制御部５３のメッシュプロファイルｍ２でリセットコマンドを送信しても問題ない。
【００７８】
また、実施の形態１では、互いに隣り合う照明機器（例えば照明機器１０ｃおよび１０ｆ）の間でメッシュネットワークを構成する例を示しているが、それに限られず、無線通信範囲内の所定のホップ数の照明機器１０ａ〜１０ｆの間でメッシュネットワークを構成するようにしてもよい。
【００７９】
また、実施の形態１、２では、Bluetooth（登録商標）を用いた通信方式を例に挙げて説明したが、それに限られず、ＷｉＦｉ（登録商標）や赤外線通信などの通信方式を用いることもできる。
【００８０】
また、実施の形態１では、照明機器１０ａ〜１０ｆとしてシーリングライトを例に挙げて説明したが、それに限られず、ＬＥＤベースライトやＬＥＤダウンライドであってもよい。
【符号の説明】
【００８１】
１０ａ、１０ｂ、１０ｃ、１０ｄ、１０ｅ、１０ｆ  照明機器
１２    機器通信部
１３    機器制御部
２０    メッシュネットワーク
３０ａ、３０ｂ、３０ｃ、３０ｄ、３０ｅ、３０ｆ  照明機器
５０    通信端末機
１００、１００Ａ  照明システム
ｍ１、ｍ１ａ、ｍ２  メッシュプロファイル
ｕ１、ｕ２  ユーザプロファイル
【図１】
2019220476.tif 000003
【図２】
2019220476.tif 000004
【図３】
2019220476.tif 000005
【図４】
2019220476.tif 000006
【図５】
2019220476.tif 000007
【図６】
2019220476.tif 000008
【図７】
2019220476.tif 000009
【図８】
2019220476.tif 000010